(57)【要約】【課題】簡単な構造で、再利用可能である携行型捕捉網展開装置を提供する。【解決手段】携行型捕捉網展開装置は、周縁上に配設された複数個の錘９２を有し、目標物を捕捉するための捕捉網９０と、錘９２および捕捉網９０を放射状に広がり噴出させるとともに、錘９２および捕捉網９０を収容する収容部２０と、錘９２および捕捉網９０を噴出させる噴出手段部４０と、を有する容器１０と、錘９２および捕捉網９０を覆い、錘９２および捕捉網９０の噴出時に開くように容器１０に設けられた蓋７０と、を備えている。【選択図】図２
2010014303.tif 000002
【特許請求の範囲】
【請求項１】
周縁上に配設された複数個の錘を有し、目標物を捕捉するための捕捉網と、
前記錘および前記捕捉網を放射状に広がり噴出させるとともに、前記錘および前記捕捉網を収容する収容部と、前記錘および前記捕捉網を噴出させる噴出手段部と、を有する容器と、
前記錘および前記捕捉網を覆い、前記錘および前記捕捉網の噴出時に一部が破損して前記錘および前記捕捉網を噴出可能にするように前記容器に設けられた蓋と、
を備えたことを特徴とする携行型捕捉網展開装置。
【請求項２】
周縁上に配設された複数個の錘を有し、目標物を捕捉するための捕捉網と、
前記錘および前記捕捉網を放射状に広がり噴出させるとともに、前記錘および前記捕捉網を収容する収容部と、前記錘および前記捕捉網を噴出させる噴出手段部と、を有する容器と、
前記錘および前記捕捉網を覆い、前記錘および前記捕捉網の噴出時に開くように前記容器に設けられた蓋と、
を備えたことを特徴とする携行型捕捉網展開装置。
【請求項３】
前記蓋は、前記錘および前記捕捉網の噴出する圧力によって開き、噴出後に閉じることを特徴とする請求項２に記載の携行型捕捉網展開装置。
【発明の詳細な説明】
【技術分野】
【０００１】
この発明は、商店、コンビニエンスストア、学校、銀行、イベント会場などに侵入した不審者などの目標物を捕捉するための携行型捕捉網展開装置に関するものである。
【背景技術】
【０００２】
例えば、携行型捕捉網展開装置として、内部に捕捉網を収納しており、この捕捉網を目標物へ噴射し展開して捕捉するものである（特許文献１）。目標物には、商店、コンビニエンスストア、学校、銀行、イベント会場などに侵入した不審者や、捕獲して保護するための動物等がある。
【０００３】
この携行型捕捉網展開装置は、蓋が容器の錘収容部と捕捉網とに収容された錘および捕捉網を覆っているが、錘および捕捉網の噴出時に容器から分離するようになっている。
【特許文献１】特開２００６−１１８８４５号
【発明の開示】
【発明が解決しようとする課題】
【０００４】
このように、特許文献１のものでは、蓋が錘および捕捉網の噴出時に容器から分離するようになっており、蓋が錘および捕捉網の噴出時に容器から分離して飛散するから、飛散した蓋を探すのに手数を要し、あるいは紛失することがある。しかも、蓋を探した場合でも、使用者が、錘および捕捉網を覆うように蓋を所定位置に正確にセットすることが困難である。
【０００５】
この発明は、以上の点を考慮してなされたもので、簡単な構造で、再利用可能である携行型捕捉網展開装置を提供することを目的としている。
【課題を解決するための手段】
【０００６】
前記課題を解決し、かつ目的を達成するために、この発明は、以下のように構成した。
請求項１に記載の発明は、
周縁上に配設された複数個の錘を有し、目標物を捕捉するための捕捉網と、
前記錘および前記捕捉網を放射状に広がり噴出させるとともに、前記錘および前記捕捉網を収容する収容部と、前記錘および前記捕捉網を噴出させる噴出手段部と、を有する容器と、
前記錘および前記捕捉網を覆い、前記錘および前記捕捉網の噴出時に一部が破損して前記錘および前記捕捉網を噴出可能にするように前記容器に設けられた蓋と、
を備えたことを特徴とする携行型捕捉網展開装置である。
【０００７】
請求項２に記載の発明は、
周縁上に配設された複数個の錘を有し、目標物を捕捉するための捕捉網と、
前記錘および前記捕捉網を放射状に広がり噴出させるとともに、前記錘および前記捕捉網を収容する収容部と、前記錘および前記捕捉網を噴出させる噴出手段部と、を有する容器と、
前記錘および前記捕捉網を覆い、前記錘および前記捕捉網の噴出時に開くように前記容器に設けられた蓋と、
を備えたことを特徴とする携行型捕捉網展開装置である。
請求項３に記載の発明は、
前記蓋は、前記錘および前記捕捉網の噴出する圧力によって開き、噴出後に閉じることを特徴とする請求項２に記載の携行型捕捉網展開装置である。
【発明の効果】
【０００８】
前記構成により、この発明は、以下のような効果を有する。
【０００９】
請求項１に記載の発明では、蓋が、錘および捕捉網の噴出時に一部が破損して錘および捕捉網を噴出するから、破損した一部を交換することで、簡単な構造で再利用することができる。
【００１０】
請求項２に記載の発明では、蓋が、錘および捕捉網の噴出時に開き、容器から分離したり、粉砕することがないので、簡単な構造で再利用することができる。
【００１１】
請求項３に記載の発明では、蓋が、錘および捕捉網の噴出する圧力によって自動的に開き、噴出後に閉じるから、錘および捕捉網を覆うように蓋を所定位置に正確にセットすることができる。
【００１２】
請求項３に記載の発明では、蓋が、錘および捕捉網の噴出時に一部が破損して錘および捕捉網を噴出するから、破損した一部を交換することで、簡単な構造で再利用することができる。
【発明を実施するための最良の形態】
【００１３】
以下、この発明の携行型捕捉網展開装置の実施の形態について説明する。この発明の実施の形態は、発明の最も好ましい形態を示すものであり、この発明はこれに限定されない。
【００１４】
図１は携行型捕捉網展開装置を示す斜視図、図２は携行型捕捉網展開装置を示す断面図、図３は捕捉網の正面図、図４は錘収容部を説明するための斜視図、図５は蓋を示す図、図６は緩衝部を説明するための斜視図、図７は携行型捕捉網展開装置の使用状態を示す図である。
【００１５】
この携行型捕捉網展開装置は、商店、コンビニエンスストア、学校、銀行、イベント会場などに侵入した不審者などの目標物を捕捉するためのものであり、容器１０と、蓋７０とを備え、周縁上に配設された複数個の錘９２を有し、目標物を捕捉するための捕捉網９０を目標物に向けて噴射し、捕捉網９０によって目標物を捕捉する。
【００１６】
容器１０は、収容部２０と、噴出手段部４０と、を有し、以下、説明し易いように、収容部２０側を前方とし、噴出手段部４０側を後方とする。
【００１７】
捕捉網９０は、図３に示すように、周縁上には、所定間隔で紐部材９１が連結され、この紐部材９１により錘９２が取り付けられている。紐部材９１は、例えば、ポリエステル製で径０．７ｍｍの紐を用いている。錘９２は、例えば、ステンレス製で、全長２８ｍｍ、外径１１ｍｍの先端が半球状の円柱である。
【００１８】
拘束網９０は、例えば、ポリエステル製またはケブラー製で、図３（ａ）に示すように、直径６ｍの円形、あるいは図３（ｂ）に示すように、４ｍ×４ｍの正方形でもよく、さらに図面には示さないが、４ｍ×３ｍの長方形、または３ｍ×３ｍおよび４ｍ×４ｍの八角形などで構成されている。また、目幅は全展開面積の約半分を中心部付近から２０ｃｍ角で形成し、残り半分を１０ｃｍ角で形成してもよい。また、目幅については全展開面積で中心部から、内側網目と外側網目とを均等に形成することでも良いが、これに限定されない。
【００１９】
収容部２０は、図２に示すように、後方側が同じ径で前方側に向けて徐々に広くなっており、捕捉網９０を収容する網収容部２１と、錘９２を収容する円盤状の錘収容部２２と、を有する。使用時には、収容部２０の同径部分を握るので、同径部分には手が滑り難いように周囲に弾性ゴム部材２３が巻き付けられている。
【００２０】
網収容部２１は、捕捉網９０を収納するために筒状に形成され、捕捉網９０を放射状に広がり噴出させる噴出室２１ａとなっており、前方側が開口して噴出口２１ｂが形成され、後方側が窄んでいる。そして、網収容部２１の後方側は、複数の通気孔２１ｃが貫通して設けられている。更に、網収容部２１の周囲に間隙を設け、圧縮空気を通過するための流路部２４が形成されている。
【００２１】
錘収容部２２は、図１，図２に示すように、略中心に開口する噴出口２２ａと、この噴出口２２ａの周りに貫通した複数個の錘保持部２２ｂとを備えている。錘保持部２２ｂの径は、錘９２の径より若干小さく形成されており、この錘保持部２２ｂに錘９２を嵌め込んで収納、保持するよう構成されている。錘収容部２２は、各錘保持部２２ｂと噴射口２２ａとを連結する切欠き部２２ｃが設けられている。捕捉網９０は、紐部材９１を切欠き部２２ｃに配置して、錘収容部２２の中心に位置するようになっている。
【００２２】
網収容部２１の前端に、錘収容部２２が配置される。錘収容部２２を網収容部２１の前端に配置した状態で、錘保持部２２ｂは網収容部２１の流路部２４に、噴出口２２ａは網収容部２１の噴出口２１ｂに、それぞれ接続する。網収容部２１の前部は、螺子部２１ｄが形成され、この螺子部２１ｄに蓋７０を螺合できるようになっており、この蓋７０を介して錘収容部２２を網収容部２１に掛止、保持できるよう構成されている。
【００２３】
この錘収容部２２の網収容部２１への取り付けは、錘収容部２２に錘９２を取り付け、折り畳んだ捕捉網９０を網収容部２１の噴出室２１ａに収納して、錘収容部２２を網収容部２１に取り付け、更に、網収容部２１の螺子部２１ｄに、蓋７０を螺合することで前端部全体を覆う。
【００２４】
この実施の形態の蓋７０は、樹脂で一体成形され、取付部７０ａと、カバー部７０ｂを有し、図１および図５に示すように、取付部７０ａとカバー部７０ｂは複数個所の連結部７０ｃによって一部が連結されている。取付部７０ａの螺子部７０ｄが網収容部２１の螺子部２１ｄに螺合され、これによって蓋７０が錘収容部２２を網収容部２１に取り付け、カバー部７０ｂが錘９２および捕捉網９０を覆っている。錘９２および捕捉網９０の噴出時には、カバー部７０ｂが錘９２および捕捉網９０の噴出する圧力によって押され、この捕捉網９０の噴射によって、図５に示すように、連結部７０ｃが破損し、カバー部７０ｂが粉砕、飛散するようになっている。
【００２５】
噴出手段部４０は、タンク部４１と、操作部４２とを有し、タンク部４１は、内部に圧縮空気が蓄積されている。従って、タンク部４１内は、大気圧に対して高圧状態になっている。タンク部４１は、前方側に開口部４１ａが設けられている。開口部４１ａに、開閉軸３０によって開閉自在に軸支された蓋部３が備えられている。タンク部４１は、後方側に逆支弁を備えた接続部４３が備えられている。この接続部４３は、コンプレッサーなどの圧縮機に接続されて、この携行型捕捉網展開装置を使用した後でも、タンク部４１内へ圧縮空気を充填して、再使用できるようになっている。そして、タンク部４１の後方側に設けられた圧力計４４で、タンク部４１内の圧力状態を観測する。
【００２６】
タンク部４１は、後方側に、接続部４３及び圧力計４４をカバーして保護するための保護部４５が螺合されている。更に、タンク部４１の周囲に、弾性ゴム部材４６が巻き付けられており、タンク部４１の破裂を防止すると共に、携行型捕捉網展開装置を手に持って使用する際の滑り止めとしての機能もある。
【００２７】
蓋部３は、略中心に、後方側に膨らんだ膨出部３ａを備えている。開口部４１ａの径は、この膨出部３ａの径と略同じ大きさに形成されている。
【００２８】
操作部４２は、前方側に螺子部４２ａで網収容部２１の後側に螺合され、後方側にタンク部４１がボルト４２ｂで連結されている。操作部４２は、ボタン部６０を備えている。このボタン部６０は、バネ等の付勢部材６１で常時に突出するようになっている。ボタン部６０は、リンク部６２を介して蓋部３に接続されている。
【００２９】
リンク部６２は、前後方向にのびる押え部材６３を備えている。押え部材６３は、回転軸６４で回転自在に軸支されている。押え部材６３は、前方側に動作部材６５が枢支され、この動作部材６５を介してボタン部６０に連結されている。押え部材６３の後端側は、蓋部３を押えており、蓋部３の開方向への移動を抑止している。即ち、タンク部４１内は高圧状態なので、タンク部４１内の圧縮気体が蓋部３を開こうとするが、押え部材６３で、蓋部３を押えることによって、蓋部３の動作を抑止している。
【００３０】
次に、携行型捕捉網展開装置の使用動作について説明する。使用する際、図７に示すように、携行型捕捉網展開装置の前方側を目標物へ向け、ボタン部６０を押す。これにより、図２に示すように、動作部材６５が、押え部材６３を、回転軸６４を中心にして矢印方向Ｉへ回転する。押え部材６３の後端が、蓋部３からタンク部４１の突出部４１ｂへ渡って設けられた滑動溝１０ａを滑り、蓋部３からタンク部４１へ移動する。これによって、蓋部３が、タンク部４１内の高圧（矢印方向ＩＩＩ）で、開閉軸３０を中心にして矢印方向ＩＩへ回転して開く。そして、タンク部４１内の圧縮空気が、噴出手段部４０内を通過する。
【００３１】
更に、圧縮空気は、網収容部２１へ送られ、通気孔２１ｃ（矢印方向ＩＶ）及び流路部２４（矢印方向Ｖ）へ送られる。そして、圧縮空気が、網収容部２１内の捕捉網９０と、錘収容部２２内の錘９２にぶつかり、その風圧によって捕捉網９０及び錘９２を前方へ運ぶ。その後、捕捉網９０及び錘９２の噴出する圧力によって蓋７０のカバー部７０ｂが、図５に示すように、連結部７０ｃが破損することで粉砕、飛散する。これによって、錘９２が広がって噴出し、捕捉網９０が展開した状態で噴射されて、目標物を覆うことができる。
【００３２】
使用後には、網収容部２１を操作部４２から取り外し、蓋部３及びリンク部６２を元の状態に戻して、コンプレッサー等の圧縮機を接続部４３へ接続し、タンク部４１内に圧縮空気を充填する。そして、網収容部２１の前端に、捕捉網９０を備えた新たな錘収容部２２を取り付け、新たな蓋７０の取付部７０ａを網収容部２１に螺合し、これによってカバー部７０ｂによって錘９２および捕捉網９０を覆うように所定位置に正確にセットすることができる。
【００３３】
タンク部４１は、緩衝部８を備えており、緩衝部８は、第１載置部８０、第２載置部８１及び弾性部８２を有している。第１載置部８０及び第２載置部８１は、弾性部８２を介して連結されている。第１載置部８０は、タンク部４１の前方に接合され、第２載置部８１は、操作部４２の後方に接合される。
【００３４】
緩衝部８は、タンク部４１の前方方向へ突出する突出部４１ｂに嵌め込まれている。そして、第２載置部８１は、タンク部４１の突出部２１ｂより若干（１〜５ｍｍ程度）前方側に配置されている。これにより、操作部４２及びタンク部４１が、緩衝部８の弾性部８２によって、軸方向に若干遊動可能になっている。従って、捕捉網９０を噴射する際に、収容部２０の反発力による後方への慣性力が、緩衝部８によって緩衝されてタンク部４１へ伝わるので、使用者の衝撃が緩和され、取り扱いし易いようになっている。
【００３５】
この実施の形態では、タンク部４１が固着された方式であるが、タンク部４１が着脱自在であってもよい。この場合、携行型捕捉網展開装置を使用した後、タンク部４１を取り外し、圧縮気体が蓄積された新たなタンク部４１を取り付けることにより、携行型捕捉網展開装置を再使用することができる。タンク部４１の着脱は、開口部４１ａを蓋部３付近に嵌め込む方式等があるが、これに限定されない。
【００３６】
次に、蓋の他の実施の形態を、図８乃至図９に基づいて説明する。
【００３７】
図８は蓋の他の実施の形態の使用状態を示す図であり、図８（ａ）は側面図、図８（ｂ）は正面図である。この実施の形態の蓋７５は、取付部７５ａと、円状のカバー部７５ｂを有する。この取付部７５ａは、樹脂で形成され、網収容部２１に螺合することで、錘収容部２２を網収容部２１に取り付ける。カバー部７５ｂは、紙シート、樹脂シート、布シートなどで形成され、カバー部７５ｂの周辺部が取付部７５ａに固着剤で固定されている。
【００３８】
カバー部７５ｂは、取付部７５ａの開口部を覆うように密着して取り付けられ、カバー部７５ｂが錘９２および捕捉網９０を覆い、錘９２および捕捉網９０の噴出時に、カバー部７５ｂの一部７５ｂ１が錘９２および捕捉網９０の噴出する圧力によって粉砕される。
【００３９】
このように、蓋７５は、カバー部７５ｂの一部７５ｂ１が、錘９２および捕捉網９０の噴出する圧力によって粉砕され、噴出後に、再度携行型捕捉網展開装置を使用する場合には蓋７５を取り外し、錘収容部２１に新たな錘９２を取り付け、折り畳んだ捕捉網９０を網収容部２２に収納して、錘収容部２２を網収容部２１に取り付ける。そして、新たな蓋７５の取付部７５ａを網収容部２１に螺合し、これによってカバー部７５ｂによって錘９２および捕捉網９０を覆うように所定位置に正確にセットすることができる。
【００４０】
図９は蓋の他の実施の形態の使用状態を示す図であり、図９（ａ）は側面図、図９（ｂ）は正面図である。この実施の形態の蓋７６は、取付部７６ａと、半円状の一対のカバー部７６ｂを有する。取付部７６ａは、網収容部２１に螺合することで、錘収容部２２を網収容部２１に取り付ける。それぞれのカバー部７６ｂの支持部７６ｃは、取付部７６ａのボス部７６ｄに支持ピン７６ｅによって回転可能に支持されている。支持ピン７６ｅの両側には、コイルスプリング７６ｆが装着され、一端部７６ｆ１はカバー部７６ｂに係止され、他端部７６ｆ２は取付部７６ａに係止され、カバー部７６ｂがコイルスプリング７６ｆの付勢力によって常に錘９２および捕捉網９０を覆っている。錘９２および捕捉網９０の噴出時には、カバー部７６ｂが錘９２および捕捉網９０の噴出する圧力によってコイルスプリング７６ｆの付勢力に抗して開き、噴出後にコイルスプリング７６ｆの付勢力によって自動的に閉じる。
【００４１】
このように、蓋７６は、一対のカバー部７６ｂが、錘９２および捕捉網９０の噴出する圧力によって自動的に開き、噴出後に閉じるから、再度携行型捕捉網展開装置を使用する場合には蓋７６を取り外し、錘収容部２２に新たな錘９２を取り付け、折り畳んだ捕捉網９０を網収容部２１に収納して、錘収容部２２を網収容部２１に取り付け、更に、網収容部２１に、蓋７６の取付部７６ａを螺合することで、一対のカバー部７６ｂが錘９２および捕捉網９０を覆うように所定位置に正確にセットすることができる。また、蓋７６の一対のカバー部７６ｂが、錘９２および捕捉網９０の噴出時に開き、容器から分離したり、粉砕することがないので、簡単な構造で再利用することができる。
【００４２】
図１０は蓋の他の実施の形態を示す図であり、図１０（ａ）は側面図、図１０（ｂ）は正面図である。この実施の形態の蓋７７は、取付部７７ａと、円状のカバー部７７ｂを有する。取付部７７ａは、樹脂で形成され、網収容部２１に螺合することで、錘収容部２２を網収容部２１に取り付ける。カバー部７７ｂは、ゴム、樹脂などの弾性部材で成形され、カバー部７７ｂの支持部７７ｃは、取付部７７ａに固着剤で固定されている。
【００４３】
カバー部７７ｂは、弾性力によって取付部７５７ａの開口部を覆うように嵌合することで密着して取り付けられ、カバー部７７ｂが錘９２および捕捉網９０を覆い、錘９２および捕捉網９０の噴出時に開くようになっている。すなわち、カバー部７７ｂが錘９２および捕捉網９０の噴出する圧力によって取付部７７ａの開口部から外れ、蓋７７が、錘９２および捕捉網９０の噴出時に開き、カバー部７７ｂは支持部７７ｃによって取付部７７ａに固定されており、容器から分離したり、粉砕することがないので、簡単な構造で再利用することができる。
【００４４】
このように、蓋７７は、カバー部７７ｂが、錘９２および捕捉網９０の噴出する圧力によって自動的に開き、噴出後に、再度携行型捕捉網展開装置を使用する場合には蓋７７を取り外し、錘収容部２２に新たな錘９２を取り付け、折り畳んだ捕捉網９０を網収容部２１に収納して、錘収容部２２を網収容部２１に取り付け、更に、網収容部２１の螺子部２１ｅに、蓋７７を螺合し、カバー部７７ｂを弾性力によって取付部７７ａの開口部を覆うように嵌合し密着して取り付けることで、錘９２および捕捉網９０を覆うように所定位置に正確にセットすることができる。
【産業上の利用可能性】
【００４５】
この発明は、商店、コンビニエンスストア、学校、銀行、イベント会場などに侵入した不審者などを捕捉するための携行型捕捉網展開装置に適用可能であり、簡単な構造で、再利用可能である。
【図面の簡単な説明】
【００４６】
【図１】携行型捕捉網展開装置を示す斜視図である。
【図２】携行型捕捉網展開装置を示す断面図である。
【図３】捕捉網の正面図である。
【図４】錘収容部を説明するための斜視図である。
【図５】蓋を示す図である。
【図６】緩衝部を説明するための斜視図である。
【図７】携行型捕捉網展開装置の使用状態を示す図である。
【図８】蓋の他の実施の形態を示す図である。
【図９】蓋の他の実施の形態を示す図である。
【図１０】蓋の他の実施の形態を示す図である。
【符号の説明】
【００４７】
１０  容器
２０  収容部
４０  噴出手段部
７０，７５，７６，７７開閉蓋
９０  捕捉網
９２  錘
【図１】
2010014303.tif 000003
【図２】
2010014303.tif 000004
【図３】
2010014303.tif 000005
【図４】
2010014303.tif 000006
【図５】
2010014303.tif 000007
【図６】
2010014303.tif 000008
【図７】
2010014303.tif 000009
【図８】
2010014303.tif 000010
【図９】
2010014303.tif 000011
【図１０】
2010014303.tif 000012